(57)【要約】【課題】上層階の建物ユニットから付帯ユニットとバルコニーが張り出されるとともに、最外縁側面を面一にせずに意匠性を高めることができるユニット建物を提供する。【解決手段】複数の建物ユニット２，２Ａ，２Ｂを組み合わせて２層階以上に形成されたユニット建物１である。そして、上層階の第１建物ユニット２Ａから張り出される直方体状の付帯ユニット３と、第１建物ユニットに隣接する第２建物ユニット２Ｂ及び付帯ユニット３に略直交する２側面が接続されるキャンチバルコニーユニット４とを備えている。ここで、キャンチバルコニーユニットの手摺部４０よりも付帯ユニットの方が張り出した構成となっている。【選択図】図１
2019157530.tif 000002
【特許請求の範囲】
【請求項１】
複数の建物ユニットを組み合わせて２層階以上に形成されたユニット建物であって、
上層階の第１建物ユニットから張り出される直方体状の付帯ユニットと、
前記第１建物ユニットに隣接する第２建物ユニット及び前記付帯ユニットに略直交する２側面が接続されるキャンチバルコニーユニットとを備え、
前記キャンチバルコニーユニットの手摺部よりも前記付帯ユニットの方が張り出していることを特徴とするユニット建物。
【請求項２】
前記付帯ユニットの前記キャンチバルコニーユニット側の外壁には切欠き部が設けられており、前記手摺部の端部が前記切欠き部に嵌め込まれることを特徴とする請求項１に記載のユニット建物。
【請求項３】
前記切欠き部は、鉛直方向に延伸され、前記手摺部の端部は鉛直方向に延伸された支柱であることを特徴とする請求項２に記載のユニット建物。
【請求項４】
前記付帯ユニットの床梁と前記キャンチバルコニーユニットの床梁とは、床梁間に介在された連結金具によって結合されていることを特徴とする請求項１乃至３のいずれか１項に記載のユニット建物。
【請求項５】
請求項１乃至４のいずれか１項に記載のユニット建物の構築方法であって、
前記第２建物ユニットに前記キャンチバルコニーユニットを取り付ける工程と、
前記第１建物ユニットと前記キャンチバルコニーユニットとの隅角部に、上から前記付帯ユニットを鉛直方向に移動させて吊り下ろす工程と、
前記第１建物ユニット及び前記キャンチバルコニーユニットと前記付帯ユニットとを接続させる工程とを備えたことを特徴とするユニット建物の構築方法。
【請求項６】
請求項２又は３に記載のユニット建物の構築方法であって、
前記第２建物ユニットに前記キャンチバルコニーユニットを取り付ける工程と、
前記手摺部の端部を前記付帯ユニットの外壁の前記切欠き部に嵌め込みながら前記付帯ユニットを鉛直方向に移動させて吊り下ろす工程と、
前記第１建物ユニット及び前記キャンチバルコニーユニットと前記付帯ユニットとを接続させる工程とを備えたことを特徴とするユニット建物の構築方法。
【発明の詳細な説明】
【技術分野】
【０００１】
本発明は、複数の建物ユニットを組み合わせて２層階以上に形成されたユニット建物及びユニット建物の構築方法に関するものである。
【背景技術】
【０００２】
特許文献１には、複数の建物ユニットを組み合わせることによって構築されたユニット建物であって、バルコニーとそれに隣接して張り出された居室空間とを備えた構成が開示されている。
【０００３】
ここで、バルコニーは、第１変形建物ユニットによって構成されており、それに隣接する居室空間は第２変形建物ユニットによって構成されている。そして、第１変形建物ユニットの手摺部が設けられた最外縁側面と、第２変形建物ユニットの最外縁側面とは、面一で揃った構成となっている。
【０００４】
一方、特許文献２には、建物から張り出されるバルコニーを付帯構造物によって意匠性の高い構成にするための支持構造が開示されている。この支持構造によれば、付帯構造物の側面を建物ユニットの側面よりも外方に突出させることができるようになる。この文献では、バルコニーの突出させた側面とは反対側の側面は、地上階から連続して延伸された外壁に対して接続されている。
【先行技術文献】
【特許文献】
【０００５】
【特許文献１】特開２００６−２５７７７８号公報
【特許文献２】特開２０１５−５２２２０号公報
【発明の概要】
【発明が解決しようとする課題】
【０００６】
上層階において張り出される直方体状の付帯ユニットに隣接してバルコニーを設ける際に、特許文献１に開示されているように最外縁側面を面一にする場合は、第２変形建物ユニットの隅角部に手摺部の端部が接続されることになる。他方において、特許文献２に開示されているようにバルコニーと隣接する外壁とを面一にせずに出入りを設ける場合に、バルコニーに隣接するユニットが張り出された状態となったユニット建物が開示された文献は存在しない。
【０００７】
そこで、本発明は、上層階の建物ユニットから付帯ユニットとバルコニーが張り出されるとともに、最外縁側面を面一にせずに意匠性を高めることができるユニット建物及びユニット建物の構築方法を提供することを目的としている。
【課題を解決するための手段】
【０００８】
前記目的を達成するために、本発明のユニット建物は、複数の建物ユニットを組み合わせて２層階以上に形成されたユニット建物であって、上層階の第１建物ユニットから張り出される直方体状の付帯ユニットと、前記第１建物ユニットに隣接する第２建物ユニット及び前記付帯ユニットに略直交する２側面が接続されるキャンチバルコニーユニットとを備え、前記キャンチバルコニーユニットの手摺部よりも前記付帯ユニットの方が張り出していることを特徴とする。
【０００９】
ここで、前記付帯ユニットの前記キャンチバルコニーユニット側の外壁には切欠き部が設けられており、前記手摺部の端部が前記切欠き部に嵌め込まれる構成とすることができる。特に、前記切欠き部は、鉛直方向に延伸され、前記手摺部の端部は鉛直方向に延伸された支柱である構成とすることができる。
さらに、前記付帯ユニットの床梁と前記キャンチバルコニーユニットの床梁とは、床梁間に介在された連結金具によって結合されている構成とすることができる。
【００１０】
また、ユニット建物の構築方法の発明は、上記いずれかのユニット建物の構築方法であって、前記第２建物ユニットに前記キャンチバルコニーユニットを取り付ける工程と、前記第１建物ユニットと前記キャンチバルコニーユニットとの隅角部に、上から前記付帯ユニットを鉛直方向に移動させて吊り下ろす工程と、前記第１建物ユニット及び前記キャンチバルコニーユニットと前記付帯ユニットとを接続させる工程とを備えたことを特徴とする。
【発明の効果】
【００１１】
このように構成された本発明のユニット建物は、上層階の第１建物ユニットから付帯ユニットを張り出させるとともに、隣接する位置にキャンチバルコニーユニットを張り出させる。そして、キャンチバルコニーユニットの手摺部よりも付帯ユニットの方が張り出した外観が形成される。すなわち、上層階の建物ユニットから付帯ユニットとバルコニーが張り出されるとともに、付帯ユニットとバルコニーの最外縁側面が面一にならない意匠性の高い外観を創出することができる。
【００１２】
また、付帯ユニットのキャンチバルコニーユニット側の外壁に切欠き部が設けられて、手摺部の端部が嵌め込めるような構成になっていれば、付帯ユニットとキャンチバルコニーユニットとの接続部を簡単に連続した状態に仕上げることができる。
【００１３】
さらに、鉛直方向に延伸された切欠き部に対して手摺部の支柱を嵌め込む構成であれば、隣接して張り出される２つのユニットの相対的な位置合せを容易に行うことができる。また、付帯ユニットとキャンチバルコニーユニットの床梁間を連結金具によって結合することで、２つのユニットの底面間に段差が生じるのを防ぐことができる。
【００１４】
そして、ユニット建物の構築方法の発明では、キャンチバルコニーユニットを設置した後で、付帯ユニットを鉛直方向に移動させて吊り下ろすことでキャンチバルコニーユニットと付帯ユニットとを接続させる。特に、付帯ユニットの外壁の切欠き部に手摺部を嵌め込みながら吊り下ろす場合は、付帯ユニットの位置決めと吊り下ろし作業と接続作業を短時間で行うことができる。
【図面の簡単な説明】
【００１５】
【図１】本実施の形態のユニット建物の概略構成を説明する斜視図である。
【図２】付帯ユニットを設置する工程を模式的に示した説明図である。
【図３】第１建物ユニットに隣接して付帯ユニットを据え付ける際に使用される受け金具を説明する図であって、（ａ）は受け金具を床梁に取り付ける工程を示した斜視図、（ｂ）は受け金具に対して付帯ユニットを吊り下ろす工程を示した斜視図である。
【図４】第１建物ユニットに隣接して付帯ユニットを据え付ける際に使用される引掛け金具を説明する図であって、（ａ）は平面図、（ｂ）は（ａ）のＡ−Ａ矢視方向で見た断面図である。
【図５】付帯ユニットの外壁の切欠き部に対して手摺部の支柱を嵌め合わせる工程を説明する斜視図である。
【図６】切欠き部と支柱との位置合せに使用された調整金具を撤去する工程を説明する斜視図である。
【図７】キャンチバルコニーユニットの床梁に接合させるアーム材及び連結金具の構成を説明する斜視図である。
【図８】付帯ユニットの床梁とキャンチバルコニーユニットの床梁との連結箇所周辺の構成を説明する平面図である。
【図９】図８のＢ−Ｂ矢視方向で見た断面図である。
【発明を実施するための形態】
【００１６】
以下、本発明の実施の形態について図面を参照して説明する。図１は、本実施の形態のユニット建物１の概略構成を説明する斜視図である。
まず、ユニット建物１の構成から説明すると、このようなユニット建物１は、工場で製作される複数の建物ユニット２，・・・並びに第１建物ユニット２Ａ及び第２建物ユニット２Ｂなどを建築現場に搬送し、基礎（図示省略）の上に横方向に並べて１階を構築する。さらに、それらの（下階）建物ユニット２，・・・の上に別の（上階）建物ユニット２，２（２Ａ，２Ｂ）を積み上げることで上層階を構築する。
【００１７】
一方、ユニット建物１を構成する建物ユニット２（２Ａ，２Ｂ）は、梁材と柱材とによって骨組みが形成される。ここで、第１建物ユニット２Ａ及び第２建物ユニット２Ｂは、設置場所を特定した建物ユニット２であり、構成は同じである。建物ユニット２は、隅角部に配置される柱２２と、柱２２の上端間に架け渡される天井梁と、柱２２の下端間に差し渡される床梁２１とによって直方体状（ボックス形）の骨組構造体に形成される。
【００１８】
ここで、柱２２は角形鋼管、床梁２１は断面視略コ字形の溝形鋼材によって形成されている。また、柱２２と床梁２１は、接合枠材（図示省略）を介して溶接接合される。要するに建物ユニット２は、すべての隅角部が溶接接合されたラーメン構造体となっている。
【００１９】
そして、図１に示すように、複数の建物ユニット２（２Ａ，２Ｂ）が左右及び上下に連結されることによってユニット建物１が構築される。建物ユニット２の外部に向いた側面には、外壁が設けられる。
【００２０】
さらに、本実施の形態のユニット建物１には、付帯ユニット３とキャンチバルコニーユニット４とが設けられる。付帯ユニット３は、上層階となる２階の第１建物ユニット２Ａから張り出される。付帯ユニット３は、建物ユニット２と同様に直方体状に形成されるが、平面視略長方形の短辺方向の長さ（幅）が半分程度に設定されている。
【００２１】
一方、キャンチバルコニーユニット４は、第１建物ユニット２Ａに隣接する第２建物ユニット２Ｂから張り出される。また、キャンチバルコニーユニット４は、付帯ユニット３に隣接して配置される。すなわちキャンチバルコニーユニット４は、第２建物ユニット２Ｂ及び付帯ユニット３に対して、略直交する２側面が接続される。すなわち、第２建物ユニット２Ｂと付帯ユニット３との隅角部に、キャンチバルコニーユニット４が配置される。
【００２２】
そして、キャンチバルコニーユニット４の手摺部４０よりも付帯ユニット３の方が張り出した配置となる。すなわち、付帯ユニット３の張り出し側の最外縁側面は、手摺部４０の側面となるキャンチバルコニーユニット４の最外縁側面より出っ張った位置に配置され、面一にはなっていない。
【００２３】
図２は、付帯ユニット３の最外縁側面がキャンチバルコニーユニット４の最外縁側面より出っ張った状態になることが分かり易くなるように、デフォルメして図示した模式図である。そして、付帯ユニット３のキャンチバルコニーユニット４側の外壁３４には、鉛直方向に延伸された切欠き部３４１が設けられる。この切欠き部３４１は、手摺部４０の端部となる支柱４１の位置に合わせて設けられる。
【００２４】
また、付帯ユニット３のキャンチバルコニーユニット４側の外壁３４には、切欠き部３４１の下端から水平方向に第１建物ユニット２Ａ側に延伸される床用開放部３４２が設けられる。
【００２５】
図３は、第１建物ユニット２Ａに隣接して付帯ユニット３を据え付ける際に使用される受け金具５を説明する図である。受け金具５は、壁状の接合面５ａと棚状の受け面５ｂとが略直交する断面視略Ｌ字状の金具である。
【００２６】
受け金具５の接合面５ａには、ドリルねじ５１１をねじ込むためのねじ穴５１が穿孔されている。そこで、床梁２１のウエブに接合面５ａを接触させて、ウエブに穿孔されたねじ穴２１１に接合面５ａ側からねじ込まれたドリルねじ５１１をねじ込むことで、受け金具５を床梁２１に固定する。
【００２７】
また、受け金具５には、受け面５ｂに複数の接続穴５２が穿孔されている。この接続穴５２には、ガイドピン５３や接合用のボルトが通される。ガイドピン５３は、先に据え付けられた第１建物ユニット２Ａに対して、付帯ユニット３を位置合せしながら吊り下ろす際のガイドとして使用される。具体的にはガイドピン５３は、付帯ユニット３の床梁３１のフランジの接続穴３１１に挿入される。
【００２８】
図４は、付帯ユニット３を据え付ける際に上端側に取り付けられる引掛け金具６を説明する図である。引掛け金具６は，底面部６ａとその両側縁の側壁部６ｂ，６ｂとを有する断面視略Ｕ字状の金具である。この引掛け金具６は、付帯ユニット３側に固定され、第１建物ユニット２Ａに向けて張り出される。
【００２９】
詳細には、引掛け金具６は、ビス６３によって付帯ユニット３の柱３２の上端蓋３２１に固定される。上端蓋３２１の下面には、吊りボルトを取り付けるための吊りナット６２１が固着されており、引掛け金具６の底面部６ａには、吊りナット６２１に連通させる吊り穴６２が穿孔される。さらに、引掛け金具６の張り出された底面部６ａには、延伸方向に長い長穴６１が穿孔される。
【００３０】
図５，６は、付帯ユニット３とキャンチバルコニーユニット４とを接続させる際に使用される調整金具７を示している。この調整金具７は、キャンチバルコニーユニット４の手摺部４０の端部に設けられる支柱４１と、付帯ユニット３の外壁３４の切欠き部３４１との位置合わせをするために、一時的に取り付けられる。
【００３１】
調整金具７には、付帯ユニット３の外壁３４背面側のスタッド３５に固定するための仮固定片７２と、キャンチバルコニーユニット４側に張り出される平板部７１とを備えている。この平板部７１には、挿込み穴７１１が穿孔され、支柱４１の上蓋４１１の穴４１１ａと併せてシノＳを使った位置調整に利用される。
【００３２】
図７は、キャンチバルコニーユニット４の床梁４２を固定するアーム材８１の構成を示す斜視図である。アーム材８１の軒元側の端部には連結板８３が固着されており、その連結板８３のボルト穴８３１にはボルト８３２が挿し込まれる。図８に示すように、ボルト８３２は第２建物ユニット２Ｂの柱２２下端に内蔵された当て板８３３に先端がねじ込まれる。
【００３３】
アーム材８１と連結板８３との隅角部は、上下に間隔を置いて取り付けられる平面視直角三角形のコーナー材８２，８２によって補強される。また、アーム材８１の側面には、延伸方向に間隔を置いて複数のボルト穴８１ａ，・・・が穿孔される。
【００３４】
そして、アーム材８１の軒先側には、平面視コ字状の連結金具８が固着される。この連結金具８には、付帯ユニット３側の側面にボルト穴８ａが穿孔される。このボルト穴８ａには、付帯ユニット３の床梁３１Ａとの接合に使用される連結ボルト８４が挿入される。また、連結金具８と床梁３１Ａとの間の隙間には、スペーサ８５を介在させる。
【００３５】
キャンチバルコニーユニット４の床は、軒元側から軒先側に向けて延伸される床梁４２と、その床梁４２に直交して軒先側に配置される軒先梁４３と、その軒先梁４３と略平行に軒元側に配置される軒元梁４４と、によって主に構成される。軒先梁４３と軒元梁４４との間には、床梁４２と略平行となるように複数の床小梁４５，・・・が間隔を置いて架け渡される。
【００３６】
図９は、図８のＢ−Ｂ矢視方向で見た断面図である。この図は、付帯ユニット３とキャンチバルコニーユニット４との境界付近の床周辺の構成を示している。付帯ユニット３の床梁３１Ａとキャンチバルコニーユニット４の床梁４２とは、アーム材８１、連結金具８及びスペーサ８５を介して強固に連結される。
【００３７】
隣接する床梁３１Ａ，４２間が強固に連結されて一体化されれば段差等が生じないため、付帯ユニット３とキャンチバルコニーユニット４とに跨って連続した軒天材９を配置することができる。軒天材９，９Ａは、受木桟９１によって床梁３１Ａ，４２の下面側に配置されて軒天井となる。
【００３８】
キャンチバルコニーユニット４の床には、箱樋４６が埋設され、その箱樋４６には縦樋４６１が接続される。また、箱樋４６の上面は受格子４７１で覆われるとともに、キャンチバルコニーユニット４の床上面には、床仕上材４７が敷設される。
【００３９】
次に、本実施の形態のユニット建物１の構築方法について説明する。
まず、図１に示すように、工場で組み立てられて建築現場まで搬送されてきた建物ユニット２をクレーンで吊り上げ、１階となるように並べる。さらに、２階となる建物ユニット２，２並びに第１建物ユニット２Ａ及び第２建物ユニット２Ｂを、順次、クレーンで吊り上げ、２階となる部分を構築する。
【００４０】
続いて、第２建物ユニット２Ｂに対してキャンチバルコニーユニット４を取り付ける。キャンチバルコニーユニット４の取り付けに際しては、図７に示すように、クレーン吊り具Ｆのフックをアーム材８１のボルト穴８１ａ，８１ａに引っ掛け、第２建物ユニット２Ｂの隅角部の下端に連結板８３が接触するように配置する。
【００４１】
連結板８３のボルト穴８３１，８３１にはボルト８３２，８３２を挿し込み、図８に示すように柱２２の内部に固着された当て板８３３に対して、ボルト８３２，８３２の先端をねじ込んでアーム材８１を固定する。
【００４２】
そして、このアーム材８１に隣接する位置に、クレーンでキャンチバルコニーユニット４を吊り下ろし、床梁４２とアーム材８１とが並行となるように位置調整をする。床梁４２とアーム材８１とは、連結ボルト８４，８４によって接合して一体化させる。
【００４３】
続いて第１建物ユニット２Ａの床梁２１に対して、図３（ａ）に示すようにドリルねじ５１１をねじ穴５１，２１１にねじ込むことで、受け金具５を取り付ける。受け金具５は、床梁２１の長手方向に間隔を置いて複数が取り付けられる。また、図３（ｂ）に示すように、受け金具５の受け面５ｂの接続穴５２の一箇所には、上方が先細る向きにしてガイドピン５３を挿し込んでおく。
【００４４】
一方、付帯ユニット３の上面においては、図４に示すように、天井梁３３，３３が接続される柱３２の上端蓋３２１に対して、引掛け金具６をビス６３，６３で固定する。そして、吊り穴６２から吊りナット６２１に吊りボルト（図示省略）をねじ込む。一方、第１建物ユニット２Ａの上端面には、図２に示すようなジョイントピン６１１を立設させておく。
【００４５】
そして、クレーン吊り具Ｆを玉掛けして吊り上げられた付帯ユニット３を、第１建物ユニット２Ａに沿って鉛直に吊り下ろす。この段階では、既にキャンチバルコニーユニット４の第２建物ユニット２Ｂに対する取り付けは完了している。
【００４６】
一方において、キャンチバルコニーユニット４の手摺部４０の支柱４１は、平面視で付帯ユニット３の外壁３４と一部重なって干渉する位置に配置されている。そこで、付帯ユニット３の外壁３４の切欠き部３４１の位置を支柱４１の位置に合わせて、付帯ユニット３を鉛直に吊り下ろすことで干渉が起きないようにする。
【００４７】
また、切欠き部３４１を先に配置された支柱４１の位置に合わせることで、相対的な位置合せを迅速に行うことができる。具体的には図５に示すように、吊り下ろされる付帯ユニット３の切欠き部３４１の上端に取り付けられた調整金具７の挿込み穴７１１にシノＳを挿し込み、先端を下方の支柱４１の上蓋４１１の穴４１１ａに挿入する。
【００４８】
続いて、てこの原理でシノＳを操作すると、図６に示すように、外壁３４の切欠き部３４１に支柱４１が嵌め込まれた位置関係になる。位置調整後は、調整金具７は外壁３４の切欠き部３４１から撤去する。
【００４９】
引き続き付帯ユニット３を鉛直下方に移動させると、図３（ｂ）に示すように、受け金具５のガイドピン５３が床梁３１の接続穴３１１に挿入されて、床梁３１，２１間の位置合せと、受け金具５による仮受けが行われる。この受け金具５と床梁３１とは、接続穴３１１，５２に通したボルト（図示省略）によって連結が行われる。
【００５０】
また、付帯ユニット３の上端においては、図２に示すように、第１建物ユニット２Ａの上端面に取り付けられたジョイントピン６１１を、引掛け金具６の長穴６１に通すことによって位置合わせと仮止めを行う。この引掛け金具６は、付帯ユニット３を第１建物ユニット２Ａに本固定した後に撤去される。
【００５１】
そして、安定した状態となるように仮固定された付帯ユニット３に対して、第１建物ユニット２Ａ及びキャンチバルコニーユニット４との連結作業を行う。付帯ユニット３の床梁３１Ａとキャンチバルコニーユニット４の床梁４２との連結は、図８，９に示すように、連結金具８と床梁３１Ａとの隙間にスペーサ８５を挿入して、連結ボルト８４によって床梁３１Ａを連結金具８に接合させることによって行われる。
【００５２】
ここで、連結金具８は、上下が開放された平面視コ字状の金具であるため、上下のいずれの方向からでも連結ボルト８４を使用したボルト締結作業を容易に行うことができる。また、連結金具８と床梁３１Ａとの隙間の広さに応じてスペーサ８５の枚数や厚さを調整することで、容易に強固な結合にすることができる。
【００５３】
また、連結金具８によってキャンチバルコニーユニット４の床梁４２と付帯ユニット３の床梁３１Ａとを接合した後に、キャンチバルコニーユニット４と付帯ユニット３との境界の底面を、１枚の連続した軒天材９によって覆う。
【００５４】
次に、本実施の形態のユニット建物１及びユニット建物１の構築方法の作用について説明する。
このように構成された本実施の形態のユニット建物１は、上層階の第１建物ユニット２Ａから付帯ユニット３を張り出させるとともに、隣接する位置にキャンチバルコニーユニット４を張り出させる。そして、キャンチバルコニーユニット４の手摺部４０よりも付帯ユニット３の方が張り出した外観を創出させる。すなわち、付帯ユニット３とキャンチバルコニーユニット４の最外縁側面を面一にせずに意匠性を高めることができる。
【００５５】
また、付帯ユニット３のキャンチバルコニーユニット４側の外壁３４に切欠き部３４１が設けられて、手摺部４０の端部となる支柱４１が嵌め込めるような構成になっているので、付帯ユニット３とキャンチバルコニーユニット４との接続部を簡単に連続した状態に仕上げることができる。
【００５６】
特に、外壁３４の鉛直方向に延伸された切欠き部３４１に対して手摺部４０の支柱４１を嵌め込む構成であれば、隣接して張り出される２つのユニット（３，４）の相対的な位置合せを容易に行うことができる。
【００５７】
一般的に建物から張り出した状態で取り付けられるユニットの位置出しは施工が難しく作業時間がかかる傾向にあるが、付帯ユニット３の外壁３４の切欠き部３４１に支柱４１を嵌め込みながら吊り下ろすのであれば、付帯ユニット３の位置決めと吊り下ろし作業と接続作業とを短時間で行うことができる。
【００５８】
また、付帯ユニット３とキャンチバルコニーユニット４の床梁３１Ａ，４２間を連結金具８によって結合することで、剛性の異なる２つのユニットの底面間に段差が生じるのを防ぐことができる。すなわち、剛性の異なる張り出された床は、垂れ下がる量（鉛直変位）の差が軒先側になるほど大きくなるが、連結金具８によってキャンチバルコニーユニット４の軒先梁４３付近を付帯ユニット３の床梁３１Ａに連結しておくことで、一体に挙動するようにできる。さらに、地震時にも境界における段差の発生を抑えることができるので、軒天材９の破損等を防ぐことができる。
【００５９】
以上、図面を参照して、本発明の実施の形態を詳述してきたが、具体的な構成は、この実施の形態に限らず、本発明の要旨を逸脱しない程度の設計的変更は、本発明に含まれる。
例えば、前記実施の形態では、２階建てのユニット建物１を例に説明したが、これに限定されるものではなく、３階建て以上のユニット建物にも本発明を適用することができる。またこの際には、複数階において付帯ユニットとキャンチバルコニーユニットとを水平方向に連続させて張り出させることができる。
【符号の説明】
【００６０】
１        ：ユニット建物
２        ：建物ユニット
２Ａ      ：第１建物ユニット
２Ｂ      ：第２建物ユニット
３        ：付帯ユニット
３１Ａ    ：床梁
３４      ：外壁
３４１    ：切欠き部
４        ：キャンチバルコニーユニット
４０      ：手摺部
４１      ：支柱
４２      ：床梁
８        ：連結金具
【図１】
2019157530.tif 000003
【図２】
2019157530.tif 000004
【図３】
2019157530.tif 000005
【図４】
2019157530.tif 000006
【図５】
2019157530.tif 000007
【図６】
2019157530.tif 000008
【図７】
2019157530.tif 000009
【図８】
2019157530.tif 000010
【図９】
2019157530.tif 000011